(57)【要約】【課題】良好な画質を維持できる最大の投映サイズで画像の投映を行う電子機器を提供する。【解決手段】投映画像を投映面に対して投映する投映部３４と、前記投映部から前記投映面までの距離を計測する計測部３６と、前記投映面の光学特性を検知する検知部２０と、前記投映部の投映性能を記憶する記憶部３１と、前記投映面までの距離、前記投映面の光学特性及び前記投映部の投映性能に基づいて、前記投映面における最大投映サイズを決定する決定部２０とを備える。【選択図】図２
2012123282.tif 000002
【特許請求の範囲】
【請求項１】
投映画像を投映面に対して投映する投映部と、
前記投映部から前記投映面までの距離を計測する計測部と、
前記投映面の光学特性を検知する検知部と、
前記投映部の投映性能を記憶する記憶部と、
前記投映面までの距離、前記投映面の光学特性及び前記投映部の投映性能に基づいて、前記投映面における最大投映サイズを決定する決定部と
を備えることを特徴とする電子機器。
【請求項２】
前記決定部は、更に前記投映画像の画像特性に基づいて前記投映面における最大投映サイズを決定することを特徴とする請求項１記載の電子機器。
【請求項３】
前記投映面を撮像する撮像部を備え、
前記検知部は、前記撮像部により出力される撮像データに基づいて、前記投映面の光学特性を検知することを特徴とする請求項１または２記載の電子機器。
【請求項４】
前記最大投映サイズに関する情報を報知する報知手段を備えることを特徴とする請求項１〜３の何れか一項に記載の電子機器。
【請求項５】
前記報知手段は、前記投映部により報知情報を投映する投映制御部または前記報知情報を音声出力する音声出力部の少なくとも一方を備えることを特徴とする請求項１〜４の何れか一項に記載の電子機器。
【請求項６】
前記投映画像のサイズを前記最大投映サイズに一致させるための指示マークの画像データを記憶する画像記憶部を備え、
前記投映制御部は、前記投映部により前記投映面に対して前記指示マークを投映することを特徴とする請求項５に記載の電子機器。
【請求項７】
前記報知手段は、前記投映画像のサイズが前記最大投映サイズと一致する場合、その旨を報知することを特徴とする請求項６に記載の電子機器。
【請求項８】
前記投映部は、ズーム投映光学系を備え、
前記決定部により決定された前記最大投映サイズに基づいて前記ズーム投映光学系を制御するズーム制御部を備えることを特徴とする請求項１〜３の何れか一項に記載の電子機器。
【請求項９】
前記検知部は、前記最大投映サイズの投映領域の前記光学特性を再度検知することを特徴とする請求項１〜８の中の何れか一項に記載の電子機器。
【発明の詳細な説明】
【技術分野】
【０００１】
本発明は、電子機器に関するものである。
【背景技術】
【０００２】
従来、投映画像のサイズを調整できるプロジェクタが知られている（例えば、特許文献１参照）。このプロジェクタによれば、投映する画像のサイズに対応させて映像信号の諸特性を調整することができる。
【先行技術文献】
【特許文献】
【０００３】
【特許文献１】実開平６−０５４０３０号公報
【発明の概要】
【発明が解決しようとする課題】
【０００４】
しかし、上述のプロジェクタでは、投映する画像のサイズに対応させて映像信号の諸特性を調整した場合に投映画像の画質を維持することができない場合があった。
【０００５】
本発明の目的は、良好な画質を維持できる最大の投映サイズで画像の投映を行う電子機器を提供することである。
【課題を解決するための手段】
【０００６】
本発明の電子機器は、投映画像を投映面に対して投映する投映部と、前記投映部から前記投映面までの距離を計測する計測部と、前記投映面の光学特性を検知する検知部と、前記投映部の投映性能を記憶する記憶部と、前記投映面までの距離、前記投映面の光学特性及び前記投映部の投映性能に基づいて、前記投映面における最大投映サイズを決定する決定部とを備えることを特徴とする。
【発明の効果】
【０００７】
本発明の電子機器によれば、良好な画質を維持できる最大の投映サイズで画像の投映を行うことができる。
【図面の簡単な説明】
【０００８】
【図１】第１の実施の形態に係るプロジェクタの投映状態を示す斜視図である。
【図２】第１の実施の形態に係るプロジェクタのシステム構成を示すブロック図である。
【図３】第１の実施の形態に係るプロジェクタの処理を示すフローチャートである。
【図４】第１の実施の形態に係るプロジェクタにおける撮像部の撮像範囲を示す平面図である。
【図５】第１の実施の形態に係るプロジェクタにおける撮像部の撮像範囲を示す側面図である。
【図６】第２の実施の形態に係るプロジェクタの処理を示すフローチャートである。
【図７】第３の実施の形態に係るプロジェクタの処理を示すフローチャートである。
【図８】第１及び第３の実施の形態に係るプロジェクタにおいて投映面に投映される指示マークの形状を示す図である。
【発明を実施するための形態】
【０００９】
以下、図面を参照して、第１の実施の形態に係る電子機器をプロジェクタを例にして説明する。図１は、第１の実施の形態に係るプロジェクタの投映状態を示す斜視図である。プロジェクタ２は金属やプラスチックからなる筐体４を備え、筐体４の背面には、後述するメッセージの画像等の表示を行うＬＣＤ表示部６、投映画像の選択等を行うマルチセレクタ８、プロジェクタ投映を行う投映モードを設定するＰＪボタン１０、良好な画質を維持できる最大投映サイズ１１を決定するための処理を開始する開始ボタン１２が設けられている。また、筐体４の上面には、電源スイッチ１４、後述する撮像部２４による撮像指示を行うレリーズボタン１５が設けられている。
【００１０】
図２は、第１の実施の形態に係るプロジェクタ２の構成を示すブロック図である。プロジェクタ２はＣＰＵ２０を備え、ＣＰＵ２０には、マルチセレクタ８、ＰＪボタン１０、開始ボタン１２、電源スイッチ１４、レリーズボタン１５等を備える操作部２２、ＬＣＤ表示部６の表示制御を行う表示制御部２３、被写体を撮像する撮像素子を有する撮像部２４、撮像部２４から出力された撮像データを記憶する記憶部２６、投映等に関する設定、制御を行うためのプログラムを格納するプログラム記憶部３０、プロジェクタ２の投映性能に関する情報を記憶する性能記憶部３１、投映する画像の画像データを記憶するメモリカード３２、画像を投映する投映部３４、及び筐体４の前面から投映面Ｗまでの距離を計測する計測部３６が接続されている。なお、計測部３６は、撮像部２４により被写体を撮像する際に被写体までの距離を計測する測距部を用いてもよい。
【００１１】
ここで、投映部３４は、光源であるＬＥＤ光源４６の点灯、消灯及びＬＥＤ光源４６から射出される投映光の光量を調節する電源制御部４８、投映画像を表示するＬＣＯＳ５０の制御を行う投映制御部５２を備えている。
【００１２】
次に、図３に示すフローチャートを参照して第１の実施の形態に係るプロジェクタ２の処理について説明する。まず、ＰＪボタン１０が操作されると投映モードが設定される（ステップＳ１）。次に、ＣＰＵ２０は、プログラム記憶部３０に記憶されている、「プロジェクタをスクリーンに向けてください。」等のメッセージの画像データを読み出し、この画像データに基づく画像をＬＣＤ表示部６に表示する（ステップＳ２）。
【００１３】
次に、ＣＰＵ２０は、開始ボタン１２が操作されたか否かの判定を行う（ステップＳ３）。開始ボタン１２が操作された場合（ステップＳ３：Ｙｅｓ）、ＣＰＵ２０は、最大投映サイズ１１を決定するための処理を開始する。即ち、まず、計測部３６により筐体４の前面から投映面Ｗまでの距離を計測する（ステップＳ４）。次に、撮像部２４により、投映面Ｗの撮像を行う。ここで、撮像部２４は、暗室状態における白色の投映面（標準スクリーン）Ｗを想定した場合に明瞭な投映画像を投映することが可能な最大投映範囲を撮像する。即ち、図４に示すように、プロジェクタ２を上から見たときの最大投映範囲がＸＳ、図５に示すようにプロジェクタ２を側面から見たときの最大投映範囲がＹＳである場合、ＣＰＵ２０は、撮像範囲ＸＣが最大投映範囲ＸＳを、撮像範囲ＹＣが最大投映範囲ＹＳをそれぞれ含むように撮像部２４の撮像画角を調整して投映面Ｗの撮像を行う。ここで、撮像画角の調整には、被写体光を入射させる撮影窓４０と投映光を射出する投映窓４２との間の距離ＤＸ及びＤＹも考慮される。なお、図４及び図５において、距離Ｌは、筐体４の前面から投映面Ｗまでの距離を示し、ＸＰ及びＹＰは、距離Ｌで投映した場合の投映範囲を示している。
【００１４】
ＣＰＵ２０は、撮像部２４から出力された撮像データを記憶部２６に記憶する。次に、ＣＰＵ２０は、記憶部２６から撮像データを読み出し、撮像データに基づいて投映面Ｗの光学特性（例えば、投映面Ｗの輝度の分布及び投映面Ｗの色の分布等）を検知する（ステップＳ５）。
【００１５】
次に、ＣＰＵ２０は、性能記憶部３１からプロジェクタ２の投映性能に関する情報（例えば、投映光の輝度、投映光の色、投映焦点距離、レンズの光学収差等の情報等）を読み出すと共に、メモリカード３２から画像データを読み出し、画像データから投映画像の画像特性（例えば、解像度、画素の輝度、画素の色等）を検出する（ステップＳ６）。次に、ＣＰＵ２０は、投映面Ｗまでの距離、投映面Ｗの光学特性、プロジェクタ２の投映性能及び投映画像の画像特性に基づいて、良好な画質を維持できる最大投映サイズ１１を決定する（ステップＳ７）。ここで、最大投映サイズ１１は、予め行われた実験結果やシミュレーションの結果等に基づいて作成されたプログラムを用いて決定される。なお、最大投映サイズ１１は、検出した画像特性において、画像の解像度が所定の解像度を超える場合、または画素の輝度が所定の輝度を超える場合には大きなサイズに、画像の解像度が所定の解像度以下である場合、または画素の輝度が所定の輝度以下である場合には小さなサイズに決定される。また、画素の色の彩度が所定の彩度以下である場合、または画像のコントラストが所定のコントラスト値以下である場合には小さなサイズに、画素の色の彩度が所定の彩度を超える場合、またはコントラストが所定のコントラスト値を超える場合には大きなサイズに決定される。
【００１６】
次に、ＣＰＵ２０は、現在の筐体４の位置で画像を投映した場合の現状投映サイズ１７（図１参照）が最大投映サイズ１１と一致するか否かの判定を行う（ステップＳ８）。即ち、最大投映サイズ１１で投映を行う場合の筐体４の前面から投映面Ｗまでの距離と、現在の筐体４の前面から投映面Ｗまでの距離に差があるか否かの判定を行う。現状投映サイズ１７が最大投映サイズ１１と一致しなかった場合（ステップＳ８：Ｎｏ）、即ち、最大投映サイズ１１で投映を行う場合の筐体４の前面から投映面Ｗまでの距離と、現在の筐体４の前面から投映面Ｗまでの距離が一致していない場合には、ＣＰＵ２０は、現状投映サイズ１７と最大投映サイズ１１とのズレ量を投映面Ｗまでの距離の差に基づいて算出する（ステップＳ９）。
【００１７】
次に、ＣＰＵ２０は、プログラム記憶部３０に記憶されている指示マーク１６（図１参照）の画像データを読み出し、最大投映サイズ１１と現状投映サイズ１７のズレ量に基づいて指示マーク１６の方向及びサイズを調整した後、投映制御部５２により投映面Ｗに対して指示マーク１６を投映する（ステップＳ１０）。例えば、現状投映サイズ１７が最大投映サイズ１１よりも小さい場合、図１に示すように、指示マーク１６が現状投映サイズ１７の投映領域の外側を指示するように投映し、現状投映サイズ１７が最大投映サイズ１１よりも大きい場合、指示マーク１６が投映領域の中心を指示するように投映する。
【００１８】
また、ズレ量が大きい場合には大きな指示マーク１６を、ズレ量が小さい場合には小さな指示マーク１６を投映する。このため、筐体４が最大投映サイズ１１で投映できる位置に近づくにつれて指示マーク１６が小さくなり、遠ざかるにつれて指示マーク１６が大きくなる。
【００１９】
これにより、操作者は、投映面Ｗに投映された指示マーク１６（図１参照）に従って、適確に筐体４を最大投映サイズ１１で投映できる位置に移動させることができる。なお、ＣＰＵ２０は、現状投映サイズ１７が最大投映サイズ１１と一致するまでステップＳ４〜Ｓ１０の処理を繰り返す。
【００２０】
また、現状投映サイズ１７が最大投映サイズ１１と一致する場合（ステップＳ８：Ｙｅｓ）、ＣＰＵ２０は、プログラム記憶部３０に記憶されている、「最適なサイズで投映できます。」等のメッセージの画像データを読み出し、この画像データに基づく画像をＬＣＤ表示部６に表示する（ステップＳ１１）。ここで、既にステップＳ４〜Ｓ１０の処理が行われている場合、ステップＳ７の判定を行う時点で指示マーク１６が投映面Ｗに投映されている。この場合、ＣＰＵ２０は、投映部３４による指示マーク１６の投映を中止する。次に、ＣＰＵ２０は、メモリカード３２から画像データを読み出し、投映部３４により画像データに基づく投映画像を最大投映サイズ１１で投映面Ｗに投映する（ステップＳ１２）。
【００２１】
この第１の実施の形態に係るプロジェクタ２によれば、投映面Ｗの光学特性、投映面Ｗまでの距離及びプロジェクタ２の投映性能に基づいて最大投映サイズ１１を決定するため、良好な画質を維持できる最大の投映サイズで投映画像の投映を行うことができる。また、現状投映サイズ１７が最大投映サイズ１１と一致しない場合、最大投映サイズ１１で画像を投映できる位置にプロジェクタ２を移動できるように、投映面Ｗに指示マーク１６を投映することができる。
【００２２】
次に、第２の実施の形態に係るプロジェクタについて説明する。なお、第２の実施の形態に係るプロジェクタは、投映部３４の投映光学系をズーム投映光学系に換え、最大投映サイズ１１で投映できるように投映画角を調整するズーム制御部を投映部３４に付加したものである。従って、第１の実施の形態と同様の構成についての詳細な説明は省略し、異なる部分のみについて説明する。また、第１の実施の形態と同一の構成には同一の符号を付して説明する。
【００２３】
図６は、第２の実施の形態に係るプロジェクタの処理を示す図である。まず、ＰＪボタン１０が操作されると投映モードが設定される（ステップＳ２１）。次に、ＣＰＵ２０は、プログラム記憶部３０に記憶されている、「プロジェクタをスクリーンに向けてください。」等のメッセージの画像データを読み出し、この画像データに基づく画像をＬＣＤ表示部６に表示する（ステップＳ２２）。
【００２４】
次に、ＣＰＵ２０は、開始ボタン１２が操作されたか否かの判定を行う（ステップＳ２３）。開始ボタン１２が操作された場合（ステップＳ２３：Ｙｅｓ）、ＣＰＵ２０は、最大投映サイズ１１を決定するための処理を開始する。即ち、まず、計測部３６により筐体４の前面から投映面Ｗまでの距離を計測する（ステップＳ２４）。次に、撮像部２４の撮像画角を調整して投映面Ｗの最大投映範囲（図４及び図５参照）を撮像し、撮像部２４から出力された撮像データを記憶部２６に記憶する。
【００２５】
次に、ＣＰＵ２０は、記憶部２６から撮像データを読み出し、撮像データに基づいて投映面Ｗの光学特性を検知する（ステップＳ２５）。次に、ＣＰＵ２０は、性能記憶部３１からプロジェクタ２の投映性能に関する情報を読み出すと共に、メモリカード３２から画像データを読み出し、画像データから投映画像の画像特性を検出する（ステップＳ２６）。次に、ＣＰＵ２０は、投映面Ｗまでの距離、投映面Ｗの光学特性、プロジェクタ２の投映性能及び投映画像の画像特性に基づいて、良好な画質を維持できる最大投映サイズ１１を決定する（ステップＳ２７）。
【００２６】
次に、ＣＰＵ２０は、現状投映サイズ１７が最大投映サイズ１１と一致するか否かの判定を行う（ステップＳ２８）。投映画像のサイズが最大投映サイズ１１と一致しない場合（ステップＳ２８：Ｎｏ）、ＣＰＵ２０は、第１の実施の形態と同様の方法で現状投映サイズ１７と最大投映サイズ１１とのズレ量を算出する（ステップＳ２９）。次に、ＣＰＵ２０は、投映制御部５２によりレンズ駆動部（図示せず）を駆動して投映レンズ（図示せず）を光軸方向に移動させ、現状投映サイズ１７が最大投映サイズ１１と一致するように投映部３４の投映画角を調整する（ステップＳ３０）。そして、メモリカード３２から画像データを読み出し、投映部３４により画像データに基づく投映画像を最大投映サイズ１１で投映面Ｗに対して投映する（ステップＳ３１）。
【００２７】
一方、現状投映サイズ１７が最大投映サイズ１１と一致する場合（ステップＳ２８：Ｙｅｓ）、ステップＳ２９及びステップＳ３０の処理を行わず、画像データに基づく投映画像を投映面Ｗに対して投映する（ステップＳ３１）。
【００２８】
この第２の実施の形態に係るプロジェクタによれば、投映面Ｗの光学特性、投映面Ｗまでの距離及びプロジェクタ２の投映性能に基づいて最大投映サイズ１１を決定するため、良好な画質を維持できる最大の投映サイズで投映画像の投映を行うことができる。
【００２９】
次に、第３の実施の形態に係るプロジェクタについて説明する。なお、第３の実施の形態に係るプロジェクタは、プロジェクタ２に音声出力部を付加し、ＬＣＤ表示部６にメッセージが表示されてから所定時間内に開始ボタン１２が操作されない場合、音声出力部により警告音を報知するものである。また、指示マーク１６を投映した時から所定時間以内に筐体４が移動されなかった場合、現状投映サイズ１７が最大投映サイズ１１と一致しなくても投映画像を投映面Ｗに投映するものである。従って、第１の実施の形態と同様の構成についての詳細な説明は省略し、異なる部分のみについて説明する。また、第１の実施の形態と同一の構成には同一の符号を付して説明する。
【００３０】
図７は、第３の実施の形態に係るプロジェクタの処理を示す図である。まず、ＰＪボタン１０が操作されると投映モードが設定される（ステップＳ４１）。次に、ＣＰＵ２０は、プログラム記憶部３０に記憶されている、「プロジェクタをスクリーンに向けてください。」等のメッセージの画像データを読み出し、この画像データに基づく画像をＬＣＤ表示部６に表示する（ステップＳ４２）。
【００３１】
次に、ＣＰＵ２０は、メッセージがＬＣＤ表示部６に表示されてから所定時間内に開始ボタン１２が操作されたか否かの判定を行う（ステップＳ４３）。所定時間内に開始ボタン１２が操作されなかった場合（ステップＳ４３：Ｙｅｓ）、ＣＰＵ２０は、図示しない音声出力部により警告音を報知し（ステップＳ４４）、再度、メッセージをＬＣＤ表示部６に表示する（ステップＳ４２）。ここで、所定時間については操作者が任意に設定することができる。
【００３２】
一方、所定時間内に開始ボタン１２が操作された場合（ステップＳ４３：Ｙｅｓ）、ＣＰＵ２０は、最大投映サイズ１１を決定するための処理を開始する。まず、計測部３６により筐体４の前面から投映面Ｗまでの距離を計測する（ステップＳ４５）。ここで、距離の計測は一定時間間隔で行われ、計測された距離に関する情報は記憶部２６に記憶される。
【００３３】
次に、撮像部２４の撮像画角を調整して投映面Ｗの最大投映範囲（図４及び図５参照）を撮像し、撮像部２４から出力された撮像データを記憶部２６に記憶する。
【００３４】
次に、ＣＰＵ２０は、記憶部２６から撮像データを読み出し、撮像データに基づいて投映面Ｗの光学特性を検知する（ステップＳ４６）。次に、ＣＰＵ２０は、性能記憶部３１からプロジェクタ２の投映性能に関する情報を読み出すと共に、メモリカード３２から画像データを読み出し、画像データから投映画像の画像特性を検出する（ステップＳ４７）。次に、ＣＰＵ２０は、投映面Ｗまでの距離、投映面Ｗの光学特性、プロジェクタ２の投映性能及び投映画像の画像特性に基づいて、良好な画質を維持できる最大投映サイズ１１を決定する（ステップＳ４８）。
【００３５】
次に、ＣＰＵ２０は、現状投映サイズ１７が最大投映サイズ１１と一致するか否かの判定を行う（ステップＳ４９）。現状投映サイズ１７が最大投映サイズ１１と一致しなかった場合（ステップＳ４９：Ｎｏ）、ＣＰＵ２０は、第１の実施の形態と同様の方法で現状投映サイズ１７と最大投映サイズ１１とのズレ量を算出する（ステップＳ５０）。
【００３６】
次に、ＣＰＵ２０は、プログラム記憶部３０に記憶されている指示マーク１６（図１参照）の画像データを読み出し、最大投映サイズ１１と現状投映サイズ１７のズレ量に基づいて指示マーク１６の方向及びサイズを調整した後、投映制御部５２により投映面Ｗに対して指示マーク１６を投映する（ステップＳ５１）。
【００３７】
次に、ＣＰＵ２０は、指示マーク１６を投映した時から所定時間内に筐体４が移動されたか否かの判定を行う（ステップＳ５２）。即ち、記憶部２６から指示マーク１６を投映した時の筐体４の前面から投映面Ｗまでの距離に関する情報を読み出し、指示マーク１６を投映した時の筐体４の前面から投映面Ｗまでの距離と、指示マーク１６を投映した時から所定時間が経過した時の筐体４の前面から投映面Ｗまでの距離に差があるか否かの判定を行う。所定時間内に筐体４が移動された場合（ステップＳ５２：Ｙｅｓ）、即ち、指示マーク１６を投映した時の筐体４の前面から投映面Ｗまでの距離と、指示マーク１６を投映した時から所定時間が経過した時の筐体４の前面から投映面Ｗまでの距離が一致しない場合には、ステップＳ４９の処理に戻る。一方、所定時間を経過しても筐体４が移動されなかった場合（ステップＳ５２：Ｎｏ）、即ち、指示マーク１６を投映した時の筐体４の前面から投映面Ｗまでの距離と、指示マーク１６を投映した時から所定時間が経過した時の筐体４の前面から投映面Ｗまでの距離が一致した場合には、ＣＰＵ２０は、メモリカード３２から画像データを読み出し、投映部３４により画像データに基づく投映画像を投映面Ｗに投映する（ステップＳ５４）。ここで、所定時間については操作者が任意に設定することができる。
【００３８】
また、現状投映サイズ１７が最大投映サイズ１１と一致する場合（ステップＳ４９：Ｙｅｓ）、ＣＰＵ２０は、プログラム記憶部３０に記憶されている、「最適なサイズで投映できます。」等のメッセージの画像データを読み出し、この画像データに基づく画像をＬＣＤ表示部６に表示する（ステップＳ５３）。ここで、既にステップＳ４９〜Ｓ５２の処理が行われ、ステップＳ４９の判定を行う時点で指示マーク１６が投映面Ｗに投映されている場合、ＣＰＵ２０は、投映部３４による指示マーク１６の投映を中止する。次に、ＣＰＵ２０は、メモリカード３２から画像データを読み出し、投映部３４により画像データに基づく投映画像を最大投映サイズ１１で投映面Ｗに投映する（ステップＳ５４）。
【００３９】
この第３の実施の形態に係るプロジェクタによれば、メッセージがＬＣＤ表示部６に表示された時から所定時間内に開始ボタン１２が操作されない場合、警告音を報知することにより操作者に開始ボタン１２の操作を促すことができる。また、指示マーク１６が投映されてから所定時間内に最大投映サイズ１１で投映できる位置に筐体４を移動させることができなかった場合であっても、現状投映サイズ１７で投映画像を投映することができる。
【００４０】
なお、上述の実施の形態において、最大投映サイズ１１を決定した後、投映面Ｗの光学特性を再度検知するようにしてもよい。例えば、ＣＰＵ２０は、最大投映サイズ１１を決定した後、撮像部２４の撮像画角を調整して投映面Ｗにおける最大投映サイズ１１の範囲を撮像する。次に、撮像部２４から出力された撮像データに基づいて投映面Ｗの光学特性を再度検知するようにしてもよい。これにより、投映面Ｗに色ムラがある場合などにおいても、実際に投映を行う領域の光学特性を高精度に検知できる。また、検知した光学特性を用いることにより正確に最大投映サイズ１１を決定することができる。
【００４１】
また、上述の実施の形態においては、投映面Ｗに対して一つの矢印型の指示マーク１６を投映する場合を例に説明しているが、図８（ａ）に示すように、指示マーク１６は複数であってもよい。また、図８（ｂ）に示すように、一つの指示マーク１６が複数の方向を指示するものであってもよい。また、図８（ｃ）に示すような円形の指示マーク１６を投映し、ズレ量が小さい場合には小さなサイズの円形を、ズレ量が大きい場合には大きなサイズの円形を投映するようにしてもよい。この場合操作者は、指示マーク１６のサイズにより、筐体４の位置が最大投映サイズ１１で投映できる位置からどの程度離れているかを認識することができる。
【００４２】
また、上述の実施の形態においては、撮像部２４により撮像を行い、撮像部２４から出力された撮像データを用いて投映面Ｗの光学特性を検知しているが、輝度センサ等を含む検知部を備え、検知部により直接光学特性を検知するようにしてもよい。これにより、撮像部２４を用いずに投映面Ｗの光学特性を検知することができる。
【００４３】
また、上述の実施の形態においては、現状投映サイズ１７が最大投映サイズ１１と一致しなかった場合、投映面Ｗに対して指示マーク１６を投映しているが、指示マーク１６と共に「可能な投映サイズ：４０型」のような最大投映サイズ１１のサイズ名称、及び「対応投映距離：２ｍ」のような最大投映サイズ１１が投映できる距離を併せて投映するようにしてもよい。これにより、操作者は具体的に最大投映サイズ１１及び最大投映サイズ１１で投映画像を投映するために必要な距離をイメージすることができる。また、現状投映サイズ１７が最大投映サイズ１１よりも大きい場合、最大投映サイズ１１の投映領域の縁部に枠を投映するようにしてもよい。
【００４４】
また、第１及び第３の実施の形態においては、投映面Ｗに対して指示マーク１６を投映することにより操作者に指示を行う場合を例に説明しているが、例えば、「プロジェクタ２を前に移動させてください。」等のメッセージを投映面Ｗに対して投映することにより操作者に指示を行うようにしてもよい。また、音声出力部を備え音声により指示を行うようにしてもよい。
【００４５】
また、上述の実施の形態においては、投映面Ｗまでの距離、投映面Ｗの光学特性、プロジェクタ２の投映性能及び投映画像の画像特性に基づいて最大投映サイズ１１を決定しているが、投映画像の画像特性を除外し、投映面Ｗまでの距離、投映面Ｗの光学特性及びプロジェクタ２の投映性能に基づいて最大投映サイズ１１を決定してもよい。
【００４６】
また、上述の実施の形態においては、計測部３６の計測方式を明記していないが、投映面Ｗが低輝度である場合においても筐体４の前面から投映面Ｗまでの距離を計測することができれば、レーザ距離計、超音波式距離計等の計測方式は問わない。
【００４７】
また、上述の実施の形態において、投映面Ｗの所定のスポット、例えば、投映面Ｗの４隅と中央等の５つのスポットの光学特性を検知するようにしてもよい。
【００４８】
また、第１及び第３の実施の形態においては、指示マーク１６を投映面Ｗに対して投映しているが、ＬＣＤ表示部６に表示するようにしてもよい。
【符号の説明】
【００４９】
２…プロジェクタ、４…筐体、６…ＬＣＤ表示部、１１…最大投映サイズ、１７…現状投映サイズ、１６…指示マーク、２０…ＣＰＵ、２２…操作部、２３…表示制御部、２４…撮像部、２６…記憶部、３０…プログラム記憶部、３１…性能記憶部、３２…メモリカード、３４…投映部、３６…計測部
【図１】
2012123282.tif 000003
【図２】
2012123282.tif 000004
【図３】
2012123282.tif 000005
【図４】
2012123282.tif 000006
【図５】
2012123282.tif 000007
【図６】
2012123282.tif 000008
【図７】
2012123282.tif 000009
【図８】
2012123282.tif 000010